(57)【要約】【課題】頭部を腹部より高い位置に収納して目の充血を防ぐため端面部を傾斜面部とした収納容器体を破損せず収納できる生鮮魚類の包装用容器を提供する。【解決手段】包装容器本体１は矩形形状の上面開口部２を設けた略直方体形状に形成し、包装容器本体１の底面部３の長手方向両端部の両端面部４の上端の開口縁５側から傾斜面部６をそれぞれ折り曲げ形成する。両傾斜面部６は、底面部３から開口縁５に向かって拡開状の傾斜面を形成する。包装容器本体１の両傾斜面部６の両側部には係合凸部９を突設する。包装容器本体１の長手方向両側部の両側面部１０の上端に形成した開口縁５から内側面部１１を内方に折り曲げ、両内側面部１１に形成した係合孔部１２に両傾斜面部６の係合凸部９をそれぞれ係合する。【選択図】        図１
2004244030.tif 000002
【特許請求の範囲】
【請求項１】
薄肉板状合成樹脂にて成型され上面を開口しかつ長手方向の両端面部を底面部から開口縁側に向かってそれぞれ拡開状に傾斜する傾斜面部とした収納容器体を収納する包装用容器であって、
矩形形状の上面開口部を有する略直方体形状の包装容器本体の長手方向の両端面部の内側には、この包装容器本体の開口縁側から底面部に向かって前記収納容器体の傾斜面部の傾斜面と略一致する傾斜面部をそれぞれ設けた
ことを特徴とする生鮮魚類の包装用容器。
【請求項２】
包装容器本体の両端面部の内側にそれぞれ設けた傾斜面部は、両端面部の開口縁側から内方に折り曲げ形成し、
この包装容器本体の長手方向に沿った両側面部の内側には、両側面部の開口縁から内方に折り曲げ形成した内側面部をそれぞれ重ね合わせ、
前記傾斜面部の両側縁部には係合凸部をそれぞれ突設し、
前記両側面部にそれぞれ重ね合わせた両内側面部には前記係合凸部にそれぞれ係合する係合孔部を両端部に形成し、
前記傾斜面部の両側縁部にそれぞれ突設した前記係合凸部を前記内側面部の両端部に形成した係合孔部にそれぞれ係合させた
ことを特徴とする請求項１記載の生鮮魚類の包装用容器。
【発明の詳細な説明】
【０００１】
【発明の属する技術分野】
本発明は、さんまなどの生鮮魚類の包装用容器に関する。
【０００２】
【従来の技術】
従来、さんまのように一時期に集中的に収穫される生鮮魚類は、通年で鮮度よく市場に流通させるため、港に水揚げされるとすぐに冷凍保存されている。そして、生鮮魚類を冷凍保存する際には、一般的には、魚の大きさごとに区別して段ボール箱のような包装用容器に収納している。
【０００３】
一方、生鮮魚類の頭部を腹部よりも低い位置にして容器内に収納すると、生鮮魚類の頭部側に血液が流れて生鮮魚類の目が充血してしまい、この目が充血した生鮮魚類は、鮮度が落ちているという印象を購買者に与えてしまう。しかし、さんまのように胴体形状が細長い生鮮魚類の場合、通常、腹部の周方向直径が頭部の周方向直径よりも大きいため、生鮮魚類を底面部が平板状の包装用容器の中に収納すると、生鮮魚類の頭部の高さ位置が腹部の高さ位置よりも低い位置となって、生鮮魚類の目が充血してしまう。この生鮮魚類の目の充血を防ぐため、包装用容器内の底板上に略三角柱状のスペーサを配置して、スペーサ上に頭部を乗せた状態で生鮮魚類を収納する方法が採られている。
【０００４】
しかしながら、さんまのように胴体形状が細長い生鮮魚類の収納の際、生鮮魚類の頭部にスペーサを配置することは、収納作業を煩雑化することになり、また、このスペーサを包装容器本体の内部に固着することなく配置した場合、包装容器本体の移送の途中などにおいて包装容器本体が震動したり傾斜したりした際に包装容器本体の内部で前記スペーサの配置位置がずれ易く、さらに、前記スペーサを生鮮魚類の頭部に配置した場合であっても、前記生鮮魚類を包装用容器の中に上下方向に積み重ねて収納した場合、包装用容器の中で上方に収納された生鮮魚類は頭部が腹部よりも低い位置になった状態で収納されてしまい、この上方に積み重ねられた生鮮魚類は目が充血しやすくなって市場での価格が下がってしまうという問題がある。
【０００５】
このような問題を解決するため、上面を開口しかつ長手方向の両端面部を底面部から開口縁に向かって拡開状に傾斜する傾斜面部とした収納容器体に生鮮魚類を収納し、この収納容器体を包装用容器としての包装容器本体に収納する方法が提案されていた（特願２００１−３３４５２９号）。
【０００６】
【発明が解決しようとする課題】
しかしながら、前記収納容器体を薄肉板状合成樹脂にて成型した場合、この収納容器体の傾斜面部に生鮮魚類の頭を載置して収納すると、この傾斜面部に生鮮魚類の荷重がかかり、この生鮮魚類を収納した収納容器体を包装容器本体に収納したとき収納容器体の傾斜面部と包装容器本体の底面部との間に空間が形成されて傾斜面部が支持されていないため、収納した生鮮魚類の荷重によって収納容器体の傾斜面部の立ち上がり基部にひずみによる皺が生じたり、収納容器体が破損するおそれがある。
【０００７】
一方、この包装容器本体の底面部上に略三角柱状のスペーサを配置して、スペーサ上に収納容器体の傾斜面部を合わせて収納することが考えられるが、この方法によれば、傾斜面部の荷重はスペーサにかかり、収納容器体の傾斜面部や傾斜面部と底面部の境界部近傍が歪んだり破損したりする事態は防止できる。
【０００８】
しかしながら、この方法によれば、包装容器本体の内部に収納容器体を収納する際には、包装容器本体の内部における収納容器体の傾斜面部が配設される部分にスペーサを配置してから収納容器体を包装容器本体の内部に収納しなければならないので、スペーサの配置など包装容器本体に収納容器体を収納する作業が煩雑化する。
【０００９】
本発明は、上記問題点に鑑みなされたもので、収納した生鮮魚類の目が充血することを防止するために長手方向の両端面部を拡開状に傾斜する傾斜面部とした収納容器体の傾斜面部に頭部を載置した状態で生鮮魚類を収納して包装容器本体に収納したときに、薄肉板状合成樹脂にて成型した収納容器体であっても、生鮮魚類の荷重により収納容器体にひずみによる皺が生じたり、収納容器体が破損したりすることがなく、生鮮魚類を安定した収納状態で包装容器本体に収納することができ、収納した生鮮魚類の目の充血を確実に防止できる、生鮮魚類の包装用容器を提供することを目的とする。
【００１０】
【課題を解決するための手段】
請求項１記載の発明の生鮮魚類の包装用容器は、薄肉板状合成樹脂にて成型され上面を開口しかつ長手方向の両端面部を底面部から開口縁側に向かってそれぞれ拡開状に傾斜する傾斜面部とした収納容器体を収納する包装用容器であって、矩形形状の上面開口部を有する略直方体形状の包装容器本体の長手方向の両端面部の内側には、この包装容器本体の開口縁側から底面部に向かって前記収納容器体の傾斜面部の傾斜面と略一致する傾斜面部をそれぞれ設けたものである。
【００１１】
そして、包装容器本体の長手方向の両端面部の内側に設けた両傾斜面部の両傾斜面は、収納容器体の傾斜面部の傾斜面と略一致しているため、収納容器体の両傾斜面部は包装容器本体の両傾斜面部の上にてそれぞれ支持され、収納容器体の両傾斜面部の荷重は包装容器本体の両傾斜面部にかかるので、包装用器体の傾斜面部に生鮮魚類の頭部を載置し収納することにより傾斜面部に生鮮魚類の荷重がかかっても、包装容器本体の内部において、収納容器体の傾斜面部の立ち上がり基部に傾斜面部にかかった生鮮魚類の荷重が集中して過大にかかり、収納容器体の両傾斜面部にひずみによる皺が生じ、または収納容器体が破損して、収納容器体に収納した生鮮魚類の目が充血する事態は確実に防止される。
【００１２】
請求項２記載の発明の生鮮魚類の包装用容器は、請求項１記載の生鮮魚類の包装用容器において、包装容器本体の両端面部の内側にそれぞれ設けた傾斜面部は、両端面部の開口縁側から内方に折り曲げ形成し、この包装容器本体の長手方向に沿った両側面部の内側には、両側面部の開口縁から内方に折り曲げ形成した内側面部をそれぞれ重ね合わせ、前記傾斜面部の両側縁部には係合凸部をそれぞれ突設し、前記両側面部にそれぞれ重ね合わせた両内側面部には前記係合凸部にそれぞれ係合する係合孔部を両端部に形成し、前記傾斜面部の両側縁部にそれぞれ突設した前記係合凸部を前記内側面部の両端部に形成した係合孔部にそれぞれ係合させたものである。
【００１３】
そして、包装容器本体の両傾斜面部は、包装容器本体の両端面部の開口縁側からそれぞれ内方に折り曲げて、この両傾斜面部の両側縁部に突設された係合凸部を包装容器本体の内側面部にそれぞれ形成した係合孔部に係合することにより、包装容器本体の両傾斜面部を簡易に組み立てることができ、かつ、両傾斜面部は包装容器本体の内部に確実に固定される。
【００１４】
【発明の実施の形態】
以下、本発明の生鮮魚類の包装用容器における一実施の形態の構成を図１ないし図６を参照して説明する。
【００１５】
まず、包装容器本体の構成を図６に示す展開図に基づいて説明する。
【００１６】
図６において、包装容器本体１は、厚紙たとえば段ボールによって形成する。そして、この包装容器本体１は、図６に示す展開状態において、略矩形の底面部３の長手方向両端縁の折り込み線を介して略矩形の端面部４をそれぞれ折り曲げ自在に形成し、この両端面部４の外端縁の折り込み線を介して略矩形の上縁開口面部５ａをそれぞれ折り曲げ自在に形成し、この両上縁開口面部５ａの外端部の折り込み線を介して略矩形の内端面部５ｂをそれぞれ折り曲げ自在に形成し、この両内端面部５ｂの外端部の折り込み線を介して略矩形の傾斜面部６をそれぞれ折り曲げ自在に形成し、この両傾斜面部６の前記端面部４側の両側縁部には係合凸部９がそれぞれ突設されている。
【００１７】
また、前記包装容器本体１の前記底面部３の長手方向両側縁には折り込み線を介して略矩形の側面部１０がそれぞれ折り曲げ自在に形成されている。また、前記両側面部１０を折り曲げ自在としたこの折り込み線に沿って前記底面部３には側面部支持孔１０ａがそれぞれ複数たとえば２個形成されている。そして、前記両側面部１０の外側部に形成された折り込み線を介して略矩形の上縁開口面部５ａがそれぞれ折り曲げ自在に形成され、この両上縁開口面部５ａの外側部に形成した折り込み線を介して略矩形の内側面部１１がそれぞれ折り曲げ自在に形成されている。さらに、前記両内側面部１１の両端部近傍には細長い孔状の係合孔部１２が複数たとえば２箇所、前記傾斜面部６の傾斜角に沿ってそれぞれ形成され、前記両内側面部１１の他側縁部には支持凸部１２ａがそれぞれ複数たとえば２箇所突設されている。
【００１８】
また、前記両側面部１０の両端部にそれぞれ形成した折り込み線を介して略矩形の第１の内側折り込み片１２ｂがそれぞれ折り曲げ自在に形成され、また、前記両内側面部１１の両側部にそれぞれ形成した折り込み線を介して第２の内側折り込み片１２ｃがそれぞれ折り曲げ自在に形成されている。
【００１９】
次に、包装容器本体１を図６に示す展開状態から図１および図２に示す箱形の形状へと組立てる組み立て方法を説明する。
【００２０】
まず、前記底面部３の長手方向両側部の折り込み線から両側面部１０をそれぞれ内側に折り曲げて両側面部１０を垂直に起立させる。次に、この両側面部１０の外側部の折り込み線に沿って両上縁開口面部５ａをそれぞれ内方に折り曲げて水平面に形成する。次に、前記両上縁開口面部５ａの外側部の折り込み線に沿って両内側面部１１をそれぞれ内方に折り曲げるとともに前記両内側面部１１の外側部側の側縁部にそれぞれ突設された支持凸部１２ａを側面部支持孔１０ａにそれぞれ挿入し、前記両内側面部１１を前記両側面部１０の内側にそれぞれ重ね合わせて垂直面に形成する。この内側面部１１と前記側面部１０との間には、上縁開口面部５ａの幅に応じた間隙がそれぞれ形成されている。
【００２１】
次に、前記包装容器本体１の底面部３の両端部の折り込み線に沿って両端面部４を内側にそれぞれ折り曲げて垂直に起立させる。次に、この両端面部４の外端部の折り込み線に沿って上縁開口面部５ａをそれぞれ内側に折り曲げて水平面に形成する。
【００２２】
次に、前記両上縁開口面部５ａの外端部の折り込み線に沿って両内端面部５ｂをそれぞれ内側に折り曲げて前記両第１の内側折り込み片１２ｂと前記両第２の内側折り込み片１２ｃとをこの両内端面部５ｂと前記両端面部４との間にそれぞれ挟み込んで挟持した状態で前記内端面部５ｂを前記端面部４の内側に重ね合わせてそれぞれ垂直面に形成する。次に、前記両内端面部５ｂの外端部の折り込み線に沿って両傾斜面部６をそれぞれ内側に折り曲げる。
【００２３】
このときに、図３に示すように、前記両傾斜面部６の両側部にそれぞれ突設された係合凸部９を前記両内側面部１１に形成された係合孔部１２にそれぞれ係合する。この状態で、この両傾斜面部６は、外端部がそれぞれ前記底面部３の上面に接触し、この底面部３から前記開口縁５側である両内端面部５ｂから底面部３に向かってそれぞれ傾斜面を形成しており、この両傾斜面部６の傾斜は、後述する収納容器体７の傾斜面部８の傾斜面と略一致する。
【００２４】
そして、図１および図２に示すように、組み立てられた前記包装容器本体１は、上面に矩形形状の上面開口部２を形成した略直方体形状の箱形となる。
【００２５】
次に、前記包装容器本体１に収納される収納容器体７の構成について説明する。
【００２６】
図５に示すとおり、前記包装容器本体１には、収納容器体７が収納される。この収納容器体７は、図４に示すとおり、薄肉板状合成樹脂にて成型されており、この収納容器体７の上面開口部１３の開口縁１４に沿って水平方向にフランジ部１５が形成されている。そして前記上面開口部１３の長手方向の両端部からは上端面部１３ａが垂直下方に向かって設けられ、この収納容器体７の底面を形成する底面部１６の長手方向の両端部には、この底面部１６から前記上端面部１３ａの下端部に向かって拡開状に傾斜する傾斜面部８がそれぞれ形成されている。この両傾斜面部８の傾斜角は、生鮮魚類の頭部をこの両傾斜面部８にそれぞれ配置した状態で収納でき、かつ、収納した生鮮魚類の頭部を腹部よりも高い位置に配置できる傾斜角に形成する。また、前記底面部１６の長手方向の中央部近傍には、長手方向中央部に向かって上方に膨出する移動防止面１７がそれぞれ設けられ、さらに、前記底面部１６の前記両傾斜面部８の立ち上がり下端基部と前記両移動防止面１７の下端基部との間はそれぞれ略矩形に切り欠かれて切り欠き開口部１８となっている。
【００２７】
そして、前記底面部１６には、収納容器体７の内部を幅方向に仕切る仕切り壁部１９が等間隔に複数形成されている。この仕切り壁部１９は、底面部１６から互いに隣接して上方に向かって折り曲げられるととともに頂部で連続して折り返された仕切り壁面２０，２０によって形成されており、この仕切り壁面２０，２０が連続した頂部には複数の孔部が等間隔に設けられた分割部２０ａが波線状に形成されている。そして、前記底面部１６と、左右の仕切り壁面２０，２０とによって仕切られたそれぞれの区画は、幅方向に複数平行に配置された独立の収納面２１を形成する。各収容面２１は上記分割部２０ａを切断することによって包装容器本体１から分離され、個装箱（図示せず）を形成する。
【００２８】
次に、上記実施の形態の作用について説明する。
【００２９】
包装容器本体１は、図６に示すような展開状態から図１および図２に示すような略直方体形状の箱形に組み立てられ、図３に示すように、両傾斜面部６は、包装容器本体１の両内端面部５ｂの外端部から内方に折り曲げ形成し、この両傾斜面部６の両側縁部に突設された両係合凸部９が包装容器本体１の内側面部に形成した両係合孔部１２にそれぞれ係合される構造であるため、両傾斜面部６は簡易に組み立てることができ、また、両傾斜面部６は包装容器本体１の内部に確実に固定される。
【００３０】
次に、包装容器本体１に生鮮魚類を収納する場合、まず、収納容器体７は、長手方向を包装容器本体１の長手方向に合わせた状態で包装容器本体１の内部に収納する。
【００３１】
そして、前記包装容器本体１の内部に収納した収納容器体７の各収納面２１には、生鮮魚類を収納する。この生鮮魚類は、収納容器体７の長手方向両端面部にある両傾斜面部８にそれぞれ頭部を配置し、また、それぞれの傾斜面部８と切り欠き開口部１８を挟んで対向するそれぞれの移動防止面１７に尻尾部を配置した状態で収納容器体７に収納する。生鮮魚類の頭部は両傾斜面部８上に載置されて腹部よりも高い位置に収納されるため、生鮮魚類の血液が頭部に流れて目が充血することは防止される。
【００３２】
また、底面部１６には切り欠き開口部１８が開口形成されているため、生鮮魚類の荷重が収納容器体７の両端の傾斜面部８にかかっても、この両傾斜面部８にかかった生鮮魚類の荷重が収納容器体７の両傾斜面部８の立ち上がり下端基部に集中してこの両傾斜面部８の立ち上がり下端基部にひずみによる皺が生じたり、収納容器体７が破損することはない。
【００３３】
そして、この包装容器本体１の両傾斜面部６の傾斜面は前記収納容器体７の両傾斜面部８の傾斜面と略一致しているため、収納容器体７の両傾斜面部８は包装容器本体１の両傾斜面部６の上にて支持される。そして、収納容器体７の両傾斜面部８の荷重は包装容器本体１の両傾斜面部６にかかるので、包装容器本体１の内部において、収納された生鮮魚類の荷重が両傾斜面部８にかかることによって収納容器体７の両傾斜面部８にかかった生鮮魚類の荷重が両傾斜面部８の立ち上がり基部に集中して過大にかかり、収納容器体７の両傾斜面部にひずみによる皺が生じ、または収納容器体７が破損して、収納容器体７に収納した生鮮魚類の目が充血する事態は確実に防止される。
【００３４】
そして、収納容器体７に生鮮魚類を収納した後、包装容器本体１の上面開口部２は図示しない蓋体にて被覆した状態で保管または移送する。
【００３５】
なお、上記実施の形態においては、包装容器本体１の傾斜面部６は前記内端面部５ｂの外端部に折り曲げ自在に形成したが、前記内端面部５ｂを構成に含めず、前記傾斜面部６を前記上縁開口面部５ａの外端部に折り曲げ自在に形成することもできる。
【００３６】
なお、上記実施の形態では、さんまのように胴体形状が細長い生鮮魚類について説明したが、この実施の形態は各種生鮮魚類に適用できる。
【００３７】
【発明の効果】
請求項１記載の発明によれば、生鮮魚類の頭部を腹部よりも高い位置に収納して生鮮魚類の目が充血することを防止するために傾斜面部を設けた収納容器体の傾斜面部は包装容器本体の傾斜面部の上にて支持され、収納容器体の傾斜面部の荷重は包装容器本体の傾斜面部にかかるので、包装用器体の傾斜面部に生鮮魚類の頭部を載置して収納することにより、傾斜面部に生鮮魚類の荷重がかかっても、包装容器本体の内部において、収納容器体の傾斜面部の立ち上がり基部に傾斜面部にかかった生鮮魚類の荷重が集中して過大にかかり、収納容器体の両傾斜面部にひずみによる皺が生じ、または収納容器体が破損して、収納容器体に収納した生鮮魚類の目が充血する事態は確実に防止される。
【００３８】
請求項２記載の発明によれば、包装容器本体の両傾斜面部は、包装容器本体の両端面部の開口縁からそれぞれ内方に折り曲げて、この包装容器本体の両傾斜面部の両側縁部に突設された係合凸部を包装容器本体の内側面部にそれぞれ形成した係合孔部に係合することにより、包装容器本体の両傾斜面部を簡易に組み立てることができ、かつ、両傾斜面部は包装容器本体の内部に確実に固定される。
【図面の簡単な説明】
【図１】本発明の一実施の形態を示す包装用容器の収納用容器を収納しない状態の斜視図である。
【図２】同上包装用容器の一部を切り欠いた側面図である。
【図３】同上包装用容器の一部を拡大した斜視図である。
【図４】同上収納用容器の斜視図である。
【図５】同上包装用容器の収納用容器を収納した状態の一部を切り欠いた側面図である。
【図６】同上包装用容器の展開した状態を示す正面図である。
【符号の説明】
１    包装容器本体
２    上面開口部
３    底面部
４    端面部
５    開口縁
６    傾斜面部
７    収納容器体
８    傾斜面部
９    係合凸部
１０    側面部
１１    内側面部
１２    係合孔部
１４    開口縁
１６    底面部
【図１】
2004244030.tif 000003
【図２】
2004244030.tif 000004
【図３】
2004244030.tif 000005
【図４】
2004244030.tif 000006
【図５】
2004244030.tif 000007
【図６】
2004244030.tif 000008